(57)【要約】【課題】一部材でシャツを折り畳むことができ、さらに、折り畳みのための作業を簡単に且つ短時間で行うことができるシャツ折り畳み形状維持台紙及びその製造方法を提供する。【解決手段】上下左右の４つの辺部を有する四角枠状の台紙本体２と、その台紙本体の上辺部の上端に連設される左右方向に長手の襟整形部３と、台紙本体の上辺部の下端に連設される挟込部４と、その挟込部の上部に設けられる裾固定部５その下側に設けられる肩固定部６とで台紙１を構成する。【選択図】  図１
2005126129.tif 000002
【特許請求の範囲】
【請求項１】
シャツを折り畳み、その状態でシャツの形状を維持するための台紙において、
上下左右の４つの辺部を有する四角枠状の台紙本体であって、シャツの背中面に本体前面を当接させた状態でシャツの身頃及び袖が左右の辺部に沿って本体背面側に折り畳まれる台紙本体と、
その台紙本体の上辺部の上端に連設され、シャツの襟内側に通される左右方向に長手の襟整形部と、
前記台紙本体の上辺部の下端に連設され、前記台紙本体の背面側に折り畳まれたシャツの身頃及び袖を台紙本体との間に挟み込む挟込部と、
その挟込部の上部に形成された左右方向に長手の裾固定部用穴の左端及び右端にそれぞれ連設される左右方向に長手の裾固定部であって、台紙本体の左右の辺部に沿って折り畳まれたシャツの身頃及び袖が台紙本体の下辺部に沿って挟込部の背面側に折り畳まれた状態で、さらに台紙本体側に折り畳まれたシャツの裾部に左右から差し込んで裾を固定する裾固定部と、
を備えたことを特徴とするシャツ折り畳み形状維持台紙。
【請求項２】
前記挟込部の裾固定部用穴の下側に肩固定部用穴が形成され、その肩固定部用穴の上端に連設されて下方向に延びる肩固定部が設けられ、その肩固定部は、その下部にＵ字状またはＶ字状の切り込みまたは切り欠きが形成され、
前記台紙本体の背面側に折り畳まれたシャツの身頃及び袖を挟込部と台紙本体との間に挟み込んだ際に、肩固定部と挟込部との接続部を折って肩固定部を挟込部の前面側に折り畳むと共に、肩固定部のＵ字状またはＶ字状の切り込みまたは切り欠きの上側を折り畳んでその折り畳み線の下側部分を上側部分よりも台紙本体の前面方向に位置させ、前記挟込部と台紙本体との間に挟み込まれたシャツの身頃または袖の肩口付近を、前記切り込みまたは切り欠きのＵ字またはＶ字の内側と外側とで挟み込んで固定することを特徴とする請求項１に記載のシャツ折り畳み形状維持台紙。
【請求項３】
前記台紙本体、襟整形部、挟込部、裾固定部が、一枚の薄い平面体で連続的に形成されていることを特徴とする請求項１に記載のシャツ折り畳み形状維持台紙。
【請求項４】
前記台紙本体、襟整形部、挟込部、裾固定部、肩固定部が、一枚の薄い平面体で連続的に形成されていることを特徴とする請求項２に記載のシャツ折り畳み形状維持台紙。
【請求項５】
前記薄い平面体は紙であることを特徴とする請求項３または請求項４に記載のャツ折り畳み形状維持台紙。
【請求項６】
前記襟整形部の左右端部にはそれぞれ切り込みが形成され、その切り込みをシャツの第１ボタンに差し込んで襟整形部をシャツに対して固定することを特徴とする請求項１〜５のいずれか１項に記載のシャツ折り畳み形状維持台紙。
【請求項７】
請求項３に記載のシャツ折り畳み形状維持台紙の製造方法であって、
一枚の薄い平面体から、長方形状の縦棒部とその縦棒部の上端に連設される左右方向に長手の横棒部とで形成されるＴ字状台紙を切り出して、その横棒部で前記襟整形部を形成すると共に、
前記Ｔ字状台紙の縦棒部に下端、左端及び右端から間隔を存してＵ字状の切り込みを、そのＵ字状の切り込みの内側に左右に幅広のエ字状の切り込みを、それぞれ形成し、Ｕ字状の切り込みの外側部分で前記台紙本体を、Ｕ字状の切り込みの内側部分で前記挟込部を、エ字状の切り込みの内側部分で前記裾固定部をそれぞれ形成することを特徴とするシャツ折り畳み形状維持台紙の製造方法。
【請求項８】
請求項４に記載のシャツ折り畳み形状維持台紙の製造方法であって、
一枚の薄い平面体から、長方形状の縦棒部とその縦棒部の上端に連設される左右方向に長手の横棒部とで形成されるＴ字状台紙を切り出して、その横棒部で前記襟整形部を形成すると共に、
前記Ｔ字状台紙の縦棒部に下端、左端及び右端から間隔を存して第１のＵ字状の切り込みを、その第１のＵ字状の切り込みの内側に左右に幅広のエ字状の切り込みを、そのエ字状の切り込みの下側に第２のＵ字状の切り込みを、その第２のＵ字状の切り込みの内側にＵ字状またはＶ字状の切り込みまたは切り欠きを、それぞれ形成し、第１のＵ字状の切り込みの外側部分で前記台紙本体を、第１のＵ字状の切り込みの内側部分で前記挟込部を、エ字状の切り込みの内側部分で前記裾固定部を、第２のＵ字状の切り込みの内側で肩固定部を、それぞれ形成することを特徴とするシャツ折り畳み形状維持台紙の製造方法。
【発明の詳細な説明】
【技術分野】
【０００１】
本発明は、シャツを折り畳み、その状態でシャツの形状を維持するための台紙、及び、その製造方法に関する。
【背景技術】
【０００２】
従来、シャツを折り畳み、その状態でシャツの形状を維持するための台紙として、四角形状の台紙本体であって、シャツの背中面に本体前面を当接させた状態でシャツの身頃及び袖が左右の辺部に沿って本体背面側に折り畳まれる台紙本体と、その台紙本体の上端に連設され、シャツの首部の内側に折り込まれる左右方向に長手の首整形部と、台紙本体の左端及び右端にそれぞれ連設され、シャツの身頃及び袖と共に折り畳まれる左折り板及び右折り板と、左折り板の上端に連設され、台紙本体の左右の辺部に沿って折り畳まれたシャツの身頃及び袖が台紙本体の下辺部に沿って挟込部の背面側に折り畳まれた状態で、シャツの身頃の打ち合わせ部のボタンを係止するボタン止め敷板とを備えたものが知られている（例えば、特許文献１参照。）。このものでは、シャツの第１ボタンに別部材の蝶形片を係止することによって、襟部の前側部分を整形している。
【特許文献１】実願平８−１１９３９号公報
【発明の開示】
【発明が解決しようとする課題】
【０００３】
しかし、上記従来のシャツ折り畳み形状維持台紙では、シャツの首部の内側に首整形部を折り込んでシャツの首部を整形し、その形状を維持しているが、シャツの襟部については、第１ボタンに別部材の蝶形片を係止しているのみである。すなわち、襟部については、その前側以外の部分については整形及び形状維持が考慮されていない。そのため、シャツの梱包、運搬及び陳列等の際に、シャツの襟部の形状が歪んでしまい、見栄えが悪くなるといった問題がある。
【０００４】
また、上記従来の台紙では、襟部の前側部分の整形に別部材の蝶型片を用いているため、部材数が多くなってその管理が煩雑になると共に、蝶型片が小型であるために、乳幼児による誤飲といった事故の原因となる可能性がある。
【０００５】
また、上記従来の台紙では、シャツの折り畳み工程において、台紙自体の差し込み、係止等の作業が多いので、工程全体の難易度が高くなると共に作業効率が悪くなり、折り畳みに要する時間が長くなるといった問題がある。
【０００６】
さらに、上記従来の台紙では、シャツの肩口を固定する構造を有していないため、袖が短い半袖タイプのシャツの場合には、肩口がずれても袖への影響が少なく、シャツを折り畳んでその形状を維持することができるが、袖が長い長袖タイプのシャツの場合には、肩口がずれることにより袖全体がずれてしまい、折り畳まれたシャツにシワが生じてしまうといった問題がある。
【０００７】
そこで本発明は、上記の問題点に鑑み、一部材でシャツを折り畳むことができ、さらに、折り畳みのための作業を簡単に且つ短時間で行うことができるシャツ折り畳み形状維持台紙及びその製造方法を提供することを課題とする。また、長袖タイプのシャツを折り畳む場合でもシワの生じないシャツ折り畳み形状維持台紙及びその製造方法を提供することを第２の課題とする。
【課題を解決するための手段】
【０００８】
上記課題を解決するために請求項１記載の発明は、シャツを折り畳み、その状態でシャツの形状を維持するための台紙において、上下左右の４つの辺部を有する四角枠状の台紙本体であって、シャツの背中面に本体前面を当接させた状態でシャツの身頃及び袖が左右の辺部に沿って本体背面側に折り畳まれる台紙本体と、その台紙本体の上辺部の上端に連設され、シャツの襟内側に通される左右方向に長手の襟整形部と、前記台紙本体の上辺部の下端に連設され、前記台紙本体の背面側に折り畳まれたシャツの身頃及び袖を台紙本体との間に挟み込む挟込部と、その挟込部の上部に形成された左右方向に長手の裾固定部用穴の左端及び右端にそれぞれ連設される左右方向に長手の裾固定部であって、台紙本体の左右の辺部に沿って折り畳まれたシャツの身頃及び袖が台紙本体の下辺部に沿って挟込部の背面側に折り畳まれた状態で、さらに台紙本体側に折り畳まれたシャツの裾部に左右から差し込んで裾を固定する裾固定部と、を備えたことを特徴としている。
【０００９】
また、請求項２記載の発明は、請求項１記載のシャツ折り畳み形状維持台紙であって、前記挟込部の裾固定部用穴の下側に肩固定部用穴が形成され、その肩固定部用穴の上端に連設されて下方向に延びる肩固定部が設けられ、その肩固定部は、その下部にＵ字状またはＶ字状の切り込みまたは切り欠きが形成され、前記台紙本体の背面側に折り畳まれたシャツの身頃及び袖を挟込部と台紙本体との間に挟み込んだ際に、肩固定部と挟込部との接続部を折って肩固定部を挟込部の前面側に折り畳むと共に、肩固定部のＵ字状またはＶ字状の切り込みまたは切り欠きの上側を折り畳んでその折り畳み線の下側部分を上側部分よりも台紙本体の前面方向に位置させ、前記挟込部と台紙本体との間に挟み込まれたシャツの身頃または袖の肩口付近を、前記切り込みまたは切り欠きのＵ字またはＶ字の内側と外側とで挟み込んで固定することを特徴としている。
【００１０】
また、請求項３記載の発明は、請求項１記載のシャツ折り畳み形状維持台紙であって、前記台紙本体、襟整形部、挟込部、裾固定部が、一枚の薄い平面体で連続的に形成されていることを特徴としている。
【００１１】
また、請求項４記載の発明は、請求項２記載のシャツ折り畳み形状維持台紙であって、前記台紙本体、襟整形部、挟込部、裾固定部、肩固定部が、一枚の薄い平面体で連続的に形成されていることを特徴としている。
【００１２】
また、請求項５記載の発明は、請求項３または請求項４記載のシャツ折り畳み形状維持台紙であって、前記薄い平面体が紙であることを特徴としている。
【００１３】
また、請求項６記載の発明は、請求項１〜５のいずれか１項に記載のシャツ折り畳み形状維持台紙であって、前記襟整形部の左右端部にはそれぞれ切り込みが形成され、その切り込みをシャツの第１ボタンに差し込んで襟整形部をシャツに対して固定することを特徴としている。
【００１４】
また、請求項７記載の発明は、請求項３に記載のシャツ折り畳み形状維持台紙の製造方法であって、一枚の薄い平面体から、長方形状の縦棒部とその縦棒部の上端に連設される左右方向に長手の横棒部とで形成されるＴ字状台紙を切り出して、その横棒部で前記襟整形部を形成すると共に、前記Ｔ字状台紙の縦棒部に下端、左端及び右端から間隔を存してＵ字状の切り込みを、そのＵ字状の切り込みの内側に左右に幅広のエ字状の切り込みを、それぞれ形成し、Ｕ字状の切り込みの外側部分で前記台紙本体を、Ｕ字状の切り込みの内側部分で前記挟込部を、エ字状の切り込みの内側部分で前記裾固定部をそれぞれ形成することを特徴としている。
【００１５】
また、請求項８記載の発明は、請求項４に記載のシャツ折り畳み形状維持台紙の製造方法であって、一枚の薄い平面体から、長方形状の縦棒部とその縦棒部の上端に連設される左右方向に長手の横棒部とで形成されるＴ字状台紙を切り出して、その横棒部で前記襟整形部を形成すると共に、前記Ｔ字状台紙の縦棒部に下端、左端及び右端から間隔を存して第１のＵ字状の切り込みを、その第１のＵ字状の切り込みの内側に左右に幅広のエ字状の切り込みを、そのエ字状の切り込みの下側に第２のＵ字状の切り込みを、その第２のＵ字状の切り込みの内側にＵ字状またはＶ字状の切り込みまたは切り欠きを、それぞれ形成し、第１のＵ字状の切り込みの外側部分で前記台紙本体を、第１のＵ字状の切り込みの内側部分で前記挟込部を、エ字状の切り込みの内側部分で前記裾固定部を、第２のＵ字状の切り込みの内側で肩固定部を、それぞれ形成することを特徴としている。
【発明の効果】
【００１６】
請求項１に記載の発明によれば、シャツの襟内側に通される襟整形部を有しているので、シャツの襟部を確実に整形及び形状維持することができる。また、シャツ全体を一部材で整形することができるので、部材管理が煩雑にならず、また、乳幼児による部材の誤飲といった事故が生じることがない。また、台紙自体の差し込み及び係止といった作業がないので、工程全体の難易度が高くならず折り畳みに要する時間が短くて済む。
【００１７】
請求項２に記載の発明によれば、挟込部と台紙本体との間に挟み込まれたシャツの身頃または袖の肩口付近を肩固定部で固定するので、袖が長い長袖タイプのシャツを折り畳む場合であっても、折り畳まれた状態の袖がずれることがなく、シャツにシワが生じることが少ない。
【００１８】
請求項３及び請求項４に記載の発明によれば、台紙全体が一枚の薄い平面体で連続的に形成されているので、比較的簡単に台紙を形成することができる。
【００１９】
請求項５に記載の発明によれば、台紙を構成する薄い平面体が紙なので、可燃ゴミとして容易に処分することができる。
【００２０】
請求項６に記載の発明によれば、襟整形部の左右端部にそれぞれ形成された切り込みがシャツの第１ボタンに差し込まれるので、襟整形部がシャツの襟部に対して確実に位置決めされて固定される。
【００２１】
請求項７及び請求項８に記載の発明によれば、Ｔ字状台紙の切り出し、Ｕ字状の切り込み、エ字状の切り込み等の工程により、それぞれ簡単に請求項３及び請求項４に記載のシャツ折り畳み形状維持台紙を製造することができる。
【発明を実施するための最良の形態】
【００２２】
以下、本発明を図示の実施の形態に基づいて説明する。
【００２３】
図１を参照して、１は本発明の実施の形態に係る台紙であり、ワイシャツ等のシャツを折り畳み、その折り畳んだ状態でシャツの形状を維持するためのものである。この台紙１は、ボール紙で形成されており、上辺部２ａ、左辺部２ｂ、下辺部２ｃ、右辺部２ｄの４つの辺部で構成される四角枠状の台紙本体２を備えている。この台紙本体２の横幅及び縦幅は、折り畳むワイシャツ１０のサイズによって適宜設計変更することができる。
【００２４】
その台紙本体２の上辺部２ａの上端２ａ1には、長方形状で左右方向に長手の襟整形部３が連設されている。この襟整形部３の左右の端部には、それぞれ第１ボタン固定用の切り込み３ａ、３ｂが形成されている。この襟整形部３の横幅は、折り畳むワイシャツ１０のサイズによって適宜設計変更することができる。
【００２５】
台紙本体２の上辺部２ａの下端２ａ2には、台紙本体２の上辺部２ａの下端２ａ2、左辺部２ｂの右端２ｂ1、下辺部２ｃの上端２ｃ1、右辺部２ｄの左端２ｄ1で囲まれる長方形状の挟込部４が連設されている。
【００２６】
その挟込部４の上部には、長方形状で左右方向に長手の裾固定部用穴４ａが形成され、その裾固定部用穴４ａの左端４ａ1及び右端４ａ2には、それぞれ、中央方向に伸びる左右方向に長手の裾固定部５、５が、裾固定部用穴４ａに囲まれる形状で連設されている。
【００２７】
前記裾固定部用穴４ａの下側には、６角形状の肩固定部用穴４ｂが形成され、その肩固定部用穴４ｂの上端４ｂ1には、下方向に延びる肩固定部６が肩固定部用穴４ｂに囲まれる６角形状で連設されている。
【００２８】
その肩固定部６の下部には、Ｖ字状の切り欠き６ａが形成されている。
【００２９】
次に、本実施形態の作用について、図２〜図７を参照し、台紙１を用いて長袖タイプのワイシャツ１０を折り畳む場合を例に挙げて説明する。
【００３０】
まず、ワイシャツ１０を折り畳む作業者は、ワイシャツ１０の身頃１０ａの背中面１０ａ1に台紙本体２を置き（図２（ａ））、ワイシャツ１０の襟１０ｂの内側に襟整形部３を通す（図２（ｂ））。
続いて作業者は、台紙本体２の前面をワイシャツ１０の身頃１０ａの背中面１０ａ1に当接させると共に、挟込部４と台紙本体２との接続部、すなわち台紙本体２の上辺部２ａの下端２ａ2を折り曲げて、挟込部４を台紙本体２の背面側に位置させる（図３（ａ））。そして作業者は、ワイシャツ１０の身頃１０ａ及び袖１０ｃを、台紙本体２の左辺部２ｂと右辺部２ｄとに沿って本体２背面側に折り畳む（図３（ｂ））。ここで、袖１０ｃは、台紙本体２の横幅からはみ出さないように肩口付近で適宜折り畳まれる。
【００３１】
次に作業者は、肩固定部６と挟込部４との接続部、すなわち挟込部４の肩固定部用穴４ｂの上端４ｂ1を折って肩固定部６を挟込部４の前面側に折り畳む（図４（ａ））。そして、挟込部４と台紙本体２との接続部、すなわち台紙本体２の上辺部２ａの下端２ａ2を折り返しつつ、肩固定部６の切り欠き６ａの上側を折り畳み、ワイシャツ１０の袖１０ｃの肩口付近を、切り欠き６ａのＶ字の内側と外側とで挟み込む（図４（ｂ））。続いて、さらに台紙本体２の上辺部２ａの下端２ａ2を折り返して、台紙本体２の背面側に折り畳まれたワイシャツ１０の身頃１０ａ及び袖１０ｃを挟込部４と台紙本体２との間に挟み込むと共に、前記切り欠き６ａの上側を折り畳んだ折り畳み線６ｂの下側部分６ｃを上側部分６ｄよりも台紙本体２の前面方向に位置させて、ワイシャツ１０の袖１０ｃの肩口付近を固定する（図４（ｃ））。
【００３２】
続いて作業者は、台紙本体２の左右の辺部２ｂ、２ｄに沿って折り畳まれたワイシャツ１０の身頃１０ａ及び袖１０ｃを台紙本体２の下辺部２ｃに沿って挟込部４の背面側に折り畳み（図５（ａ））、さらに、ワイシャツ１０の裾部１０ｄを台紙本体２側に折り畳む（図５（ｂ））。この状態で、作業者は、裾固定部５と挟込部４との接続部、すなわち挟込部４の裾固定部用穴４ａの左端４ａ1及び右端４ａ2を曲げ起し（図５（ｃ））、その曲げ起こした裾固定部５の中ほどを中央方向に折り曲げて、台紙本体２側に折り畳まれたワイシャツ１０の裾部１０ｄに左右から差し込む（図６）。これによりワイシャツ１０の裾部１０ｄが固定される。
【００３３】
次に作業者は、折り畳まれたワイシャツ１０を引っ繰り返してワイシャツ１０の身頃１０ａの前面１０ａ1側を上に向け（図７（ａ））、前記襟整形部３の第１ボタン固定用の切り込み３ａ、３ｂを第１ボタンのボタンＢの取付糸部に差し込む（図７（ｂ））。これにより襟整形部３がワイシャツ１０に対して確実に固定される。
【００３４】
なお、本発明に係る台紙を用いたシャツの折り畳み手順は、上述した実施形態の手順に限定されるものではなく、適宜変更することが出来る。例えば、前記襟整形部３の第１ボタン固定用の切り込み３ａ、３ｂを第１ボタンのボタンＢの取付糸部に差し込む作業を、ワイシャツ１０の襟１０ｂの内側に襟整形部３を通す作業の直後に行っても良い。
【００３５】
次に、本実施形態に係る台紙１の製造方法について、図８を参照して説明する。
【００３６】
本実施形態に係る台紙１を製造する場合、左右方向に長手のボール紙Ｐから、長方形状の縦棒部（台紙本体２、挟込部４、裾固定部５、肩固定部６）Ｔａとその縦棒部Ｔａの上端に連設される左右方向に長手の横棒部（襟整形部３）Ｔｂとで形成されるＴ字状台紙Ｔを切り出す。このとき、図７に示すように、交互に台紙１の上下方向を逆転して配置すれば、隣り合うＴ字状台紙Ｔの縦棒部Ｔａを近接して切り出すことができ、歩留まりが向上してボール紙を有効に利用することができる。
【００３７】
このＴ字状台紙Ｔの切り出しと同時に、縦棒部Ｔａに、下端Ｔａ1、左端Ｔａ2及び右端Ｔａ3から間隔を存して第１のＵ字状の切り込みＣ1を、その第１のＵ字状の切り込みＣ1の内側に左右に幅広のエ字状の切り込みＣ2を、そのエ字状の切り込みＣ2の下側に第２のＵ字状の切り込みＣ3を、その第２のＵ字状の切り込みＣ3の内側にＶ字状の切り欠きＣ4を、それぞれ形成する。
【００３８】
なお、前記実施形態の台紙１では、材料としてボール紙を使用しているが、本発明はこれに限定されるわけではなく、薄い平面体で形成されていればよい。例えば、台紙１を生分解性フィルム等で形成しても良い。
【００３９】
また、前記実施形態の台紙１では、台紙本体２、襟整形部３、挟込部４、裾固定部５、肩固定部６を、一枚のボール紙で連続的に形成しているが、本発明はこれに限定されるわけではない。例えば、台紙本体２、襟整形部３、挟込部４、裾固定部５、肩固定部６を別部材で形成しておき、それぞれを接着等で接続して台紙１を構成するようにしても良い。
【００４０】
また、前記実施形態の台紙１は肩固定部６を有しているが、半袖タイプのシャツを折り畳む場合には、肩固定部６を有していない台紙１を用いるようにしても良い。
【００４１】
また、前記実施形態では襟整形部３を直線的な形状に形成しているが、本発明はこれに限定されるものではなく、シャツの襟内側に通すことができる形状であればよい。例えば、左右が上方向に湾曲する形状であっても良い。
【００４２】
また、前記実施形態の台紙１では、肩固定部６にＶ字状の切り欠き６ａを形成しているが、本発明はこれに限定されるものではなく、Ｕ字状またはＶ字状の切り込みや、Ｕ字状の切り欠きであっても良い。
【００４３】
また、前記実施形態の台紙１の製造方法では、Ｔ字状台紙Ｔの切り出しと同時に、切り込みＣ1、切り込みＣ2、切り込みＣ3、切り欠きＣ4を形成しているが、本発明はこれに限定されるものではない。これらＴ字状台紙Ｔの切り出し、切り込み及び切り欠きの形成の順序は、適宜変更することができる。
【００４４】
なお、本発明は前記実施形態のものに限定されるものではなく、必要に応じて種々変更することができる。
【図面の簡単な説明】
【００４５】
【図１】本発明の実施の形態に係るシャツ折り畳み形状維持台紙を示す平面図
【図２】シャツ折り畳み形状維持台紙を用いてシャツを折り畳む場合の途中工程を示す図
【図３】シャツ折り畳み形状維持台紙を用いてシャツを折り畳む場合の途中工程を示す図
【図４】シャツ折り畳み形状維持台紙を用いてシャツを折り畳む場合の途中工程を示す図
【図５】シャツ折り畳み形状維持台紙を用いてシャツを折り畳む場合の途中工程を示す図
【図６】シャツ折り畳み形状維持台紙を用いてシャツを折り畳む場合の途中工程を示す図
【図７】シャツ折り畳み形状維持台紙を用いてシャツを折り畳む場合の途中工程を示す図
【図８】シャツ折り畳み形状維持台紙をの製造工程を示す図
【符号の説明】
【００４６】
２  台紙本体
３  襟整形部
４  挟込部
５  裾固定部
６  肩固定部
【図１】
2005126129.tif 000003
【図２】
2005126129.tif 000004
【図３】
2005126129.tif 000005
【図４】
2005126129.tif 000006
【図５】
2005126129.tif 000007
【図６】
2005126129.tif 000008
【図７】
2005126129.tif 000009
【図８】
2005126129.tif 000010